(57)【要約】【課題】従来技術においては、利便性の向上の点でさらなる改善の余地がある。【解決手段】実施形態のエレベータ乗り場操作盤は、操作部を備える。操作部は、エレベータの乗りかごへの乗り場に設けられる。操作部は、前記エレベータの扉が開放した状態である時、あるいは、前記扉の閉鎖動作時に、前記乗りかごの呼び登録操作と前記扉の開放操作とを区別して受け付け可能である。【選択図】図１
2013060252.tif 000002
【特許請求の範囲】
【請求項１】
エレベータの乗りかごへの乗り場に設けられ、前記エレベータの扉が開放した状態である時、あるいは、前記扉の閉鎖動作時に、前記乗りかごの呼び登録操作と前記扉の開放操作とを区別して受け付け可能である操作部を備えることを特徴とする、
エレベータ乗り場操作盤。
【請求項２】
前記操作部は、前記呼び登録操作を受け付け可能である呼び登録操作部と、前記呼び登録操作部とは別個に設けられ前記開放操作を受け付け可能である開放操作部とを有する、
請求項１に記載のエレベータ乗り場操作盤。
【請求項３】
前記開放操作部は、前記乗りかごの移動方向に応じた上階移動用操作部と下階移動用操作部とを含んで構成され、前記エレベータの扉が開放した状態である時、あるいは、前記扉の閉鎖動作時に、前記上階移動用操作部又は前記下階移動用操作部を介して前記開放操作された前記乗りかごの移動方向と、前記乗りかごが実際に移動する移動方向とが一致した場合に前記開放操作を受け付ける、
請求項２に記載のエレベータ乗り場操作盤。
【請求項４】
前記操作部は、前記呼び登録操作を受け付け可能である呼び登録操作部と、前記呼び登録操作を受け付け可能とする次発登録開始操作部とを有し、前記エレベータの扉が開放した状態である時、あるいは、前記扉の閉鎖動作時に、前記次発登録開始操作部が操作される前に前記呼び登録操作部が操作された場合に前記開放操作を受け付ける一方、前記次発登録開始操作部が操作された後に前記呼び登録操作部が操作された場合に前記呼び登録操作を受け付ける、
請求項１に記載のエレベータ乗り場操作盤。
【請求項５】
前記操作部は、前記呼び登録操作を受け付け可能である呼び登録操作部を有し、前記エレベータの扉が開放した状態である時、あるいは、前記扉の閉鎖動作時に、前記呼び登録操作部が１回操作された場合に前記呼び登録操作を受け付ける一方、前記呼び登録操作部が所定期間で複数回操作された場合に前記開放操作を受け付ける、
請求項１に記載のエレベータ乗り場操作盤。
【発明の詳細な説明】
【技術分野】
【０００１】
本発明の実施形態は、エレベータ乗り場操作盤に関する。
【背景技術】
【０００２】
従来、エレベータは、昇降路内を乗りかごが移動することにより、乗りかごを任意の階床に移動させるが、このようなエレベータには、乗りかご内や乗り場に種々の操作盤が設けられている。
【先行技術文献】
【特許文献】
【０００３】
【特許文献１】特開２００９−２３４７８６公報
【発明の概要】
【発明が解決しようとする課題】
【０００４】
ところで、従来技術においては、利便性の向上の点でさらなる改善の余地がある。
【課題を解決するための手段】
【０００５】
実施形態のエレベータ乗り場操作盤は、操作部を備える。操作部は、エレベータの乗りかごへの乗り場に設けられる。操作部は、前記エレベータの扉が開放した状態である時、あるいは、前記扉の閉鎖動作時に、前記乗りかごの呼び登録操作と前記扉の開放操作とを区別して受け付け可能である。
【図面の簡単な説明】
【０００６】
【図１】図１は、実施形態１に係る乗り場操作盤の概略構成図である。
【図２】図２は、実施形態２に係る乗り場操作盤の概略構成図である。
【図３】図３は、実施形態３に係る乗り場操作盤の概略構成図である。
【図４】図４は、実施形態３に係る乗り場操作盤における制御の一例を説明するフローチャートである。
【図５】図５は、実施形態４に係る乗り場操作盤の概略構成図である。
【図６】図６は、実施形態５に係る乗り場操作盤の概略構成図である。
【発明を実施するための形態】
【０００７】
［実施形態１］
図１は、実施形態１に係る乗り場操作盤の概略構成図である。
【０００８】
本実施形態のエレベータ乗り場操作盤としての乗り場操作盤１は、図１に示すように、エレベータ２の乗りかご３への乗り場４に設けられ、この乗り場４で利用者が種々の操作を行うものである。この乗り場操作盤１が適用されるエレベータ２は、乗りかご３が昇降路内を昇降することで任意の目的階の乗り場４に移動することができるものである。なお、エレベータ２は、複数台の乗りかご３を備え、これらが群管理させるものであってもよい。
【０００９】
エレベータ２は、例えば、利用者により乗り場操作盤１や乗りかご３内に設けられた乗りかご操作盤等を介して乗りかご３の呼び登録操作が行われた場合に、乗り場操作盤１、乗りかご操作盤から制御装置５に呼び登録信号が入力され、制御装置５がこの呼び登録信号に応じて乗りかご３の呼び登録を行う。制御装置５は、通常の形式の双方向コモン・バスにより相互に連結されたＣＰＵ（中央演算処理装置）、所定の制御プログラム等を予め記憶しているＲＯＭ（Ｒｅａｄ  Ｏｎｌｙ  Ｍｅｍｏｒｙ）、ＣＰＵの演算結果を一時記憶するＲＡＭ（Ｒａｎｄｏｍ  Ａｃｃｅｓｓ  Ｍｅｍｏｒｙ）、予め用意されたマップデータ、エレベータ２の仕様等の情報を記憶するバックアップＲＡＭ及び入出力ポート装置を有するマイクロコンピュータ及び駆動回路を備えている。制御装置５は、この呼び登録、種々のセンサ、検出器からの出力、乗りかご３の現在の移動方向（昇降方向）等に基づいて、乗りかご３が合理的に移動しながらそれぞれの呼びに応答するように乗りかご３の着床順序を定め、巻上機等を駆動制御し、乗りかご３を目的の階床へと移動させる。これにより、エレベータ２は、乗りかご３が昇降路内を鉛直方向上下に昇降移動し、任意の目的階の乗り場４に移動する。そして、エレベータ２は、乗りかご３が目的階の乗り場４に着床し、所定の着床位置に着床したことが検出されると、その後、制御装置５がエレベータ２の扉６を開放する。これにより、乗り場４で待機している利用者は、乗りかご３内に乗り込むことが可能となり、また、乗りかご３内の利用者は乗り場４に降りることが可能となる。
【００１０】
そして、本実施形態の乗り場操作盤１は、エレベータ２の扉６が開放した状態である時、あるいは、扉６の閉鎖動作時に、乗りかご３の呼び登録操作と扉６の開放操作とを区別して受け付け可能である操作部７を備えることで、利便性の向上を図っている。
【００１１】
本実施形態の操作部７は、呼び登録操作部８と、開放操作部９とを有する。操作部７は、乗り場４の扉６の近傍に、呼び登録操作部８と開放操作部９とが別個に設けられる。
【００１２】
呼び登録操作部８は、利用者による乗りかご３の呼び登録操作を受け付け可能なものである。呼び登録操作部８は、扉６の脇に設けられる。呼び登録操作部８は、上方向呼びボタン１１と、下方向呼びボタン１２とを含んで構成される。上方向呼びボタン１１は、アップ呼び登録用のボタンであり、現在の階床よりも上階へ行くための呼び登録操作を受け付ける。下方向呼びボタン１２は、ダウン呼び登録用のボタンであり、現在の階床よりも下階へ行くための呼び登録操作を受け付ける。ここでは、呼び登録操作部８は、上方向呼びボタン１１が鉛直方向上側に、下方向呼びボタン１２が鉛直方向下側に並んで配置されている。
【００１３】
呼び登録操作部８は、上方向呼びボタン１１、下方向呼びボタン１２が制御装置５に電気的に接続されている。呼び登録操作部８は、利用者によって上方向呼びボタン１１が押下操作されることで、利用者による乗りかご３の呼び登録操作を受け付けて、制御装置５にアップ呼び登録信号を入力する。同様に、呼び登録操作部８は、利用者によって下方向呼びボタン１２が押下操作されることで、利用者による乗りかご３の呼び登録操作を受け付けて、制御装置５にダウン呼び登録信号を入力する。制御装置５は、アップ呼び登録信号、ダウン呼び登録信号に応じて、上方向の乗りかご３の呼び登録、あるいは、下方向の乗りかご３の呼び登録を行う。
【００１４】
開放操作部９は、扉６が開放した状態である時、あるいは、扉６の閉鎖動作時に、利用者による扉６の開放操作を受け付け可能なものである。開放操作部９は、水平方向に対して呼び登録操作部８と隣接して設けられる。開放操作部９は、開ボタン１３を含んで構成される。
【００１５】
開放操作部９は、開ボタン１３が制御装置５に電気的に接続されている。開放操作部９は、扉６が開放した状態である時、あるいは、扉６の閉鎖動作時に、利用者によって開ボタン１３が押下操作されることで、利用者による扉６の開放操作を受け付けて、制御装置５に開放操作信号を入力する。制御装置５は、開放操作信号に応じて、扉６を開放状態とする。さらに言えば、制御装置５は、エレベータ２の扉６が開放した状態である時には扉６を開放状態で保持し、扉６の閉鎖動作時には扉６を再度開放（リオープン）する。
【００１６】
なお、開放操作部９は、エレベータ２の扉６が完全に閉鎖され乗りかご３が他の階床の乗り場４に向けて移動を開始した状態で、利用者によって開ボタン１３が押下操作された場合には、この利用者による扉６のこの開放操作を受け付けずに開放操作を無効とする。
【００１７】
上記のように構成される乗り場操作盤１は、扉６が開放した状態である時、あるいは、扉６の閉鎖動作時に、操作部７が利用者による呼び登録操作と開放操作とを区別して受け付けることができる。すなわち、乗り場操作盤１は、扉６が開放した状態である時、あるいは、扉６の閉鎖動作時に、開放操作部９が開放操作を受け付ける一方、呼び登録操作部８が呼び登録操作を受け付けることができる。これにより、乗り場操作盤１は、例えば、扉６が開放した状態である時、あるいは、扉６の閉鎖動作時に、扉６の開放状態を保持したり、閉まりかけている扉６をリオープンさせたりすることができると共に、扉６が完全に閉鎖することを待つことなく必要に応じて次回の乗りかご３の呼び登録も行うことができる。なおここでは、乗り場操作盤１は、呼び登録操作部８と開放操作部９とが別個に設けられていることから、利用者に対して容易に操作部の用途を判別できるようにすることができる。
【００１８】
この結果、例えば、急いでいる利用者等は、開放操作部９を操作することで閉まりかけている扉６をリオープンさせて、現在、着床している乗りかご３に乗り込むことができる。つまりこの場合、乗り場操作盤１は、利用者が閉まりかけている扉６に乗り込む場合に、利用者によって開放操作部９を介して開放操作されることで、この開放操作を無効にすることなく、扉６をリオープンすることができ、例えば、利用者に不快感を与えることを抑制することができる。
【００１９】
一方、例えば、混雑を回避するために次回の乗りかご３に乗ろうと判断した利用者等は、呼び登録操作部８を操作することで、扉６が完全に閉鎖することを待つことなく、次回の乗りかご３の呼び登録を行うことができる。制御装置５は、扉６が完全に閉鎖した後に、新たに呼び登録操作部８が操作されなくても、この呼び登録をそのまま維持する。つまりこの場合、乗り場操作盤１は、利用者が今現在、着床している乗りかご３を見送る場合に、利用者によって呼び登録操作部８を介して呼び登録操作されることで、扉６が完全に閉鎖することを待つことなく、扉６が開放した状態である時、あるいは、扉６の閉鎖動作時に、即座に次回の乗りかご３の呼び登録を受け付けることができる。
【００２０】
これにより、制御装置５は、乗りかご３が発車したと同時に、即座に次回の乗りかご３の呼び登録に応答して乗りかご３を該当する乗り場４に呼ぶことができる。また、制御装置５は、エレベータ２が複数台の乗りかご３を備える場合には、扉６が完全に閉鎖することを待つことなく、扉６が開放した状態である時、あるいは、扉６の閉鎖動作時に、即座に次回の乗りかご３の呼び登録を受け付けることができることから、即座に別の乗りかご３でこの呼び登録に応答することができ、例えば、混雑している階床への運行効率を向上することができる。
【００２１】
また、乗り場操作盤１は、呼び登録操作と開放操作とを区別して受け付けることができることから、利用者が実際には次回の呼び登録をしたいのにもかかわらず、意図せず閉まりかけている扉６をリオープンさせてしまい乗りかご３の発車を遅らせてしまうようなことを防止することができ、エレベータ２の運行の妨げにならないようにすることができる。また、乗り場操作盤１は、意図せず閉まりかけている扉６をリオープンすることをと抑制することができることで、例えば、乗りかご３内の利用者に不快感を与えることを抑制することができる。
【００２２】
以上で説明した実施形態に係る乗り場操作盤１によれば、エレベータ２の乗りかご３への乗り場４に設けられ、エレベータ２の扉６が開放した状態である時、あるいは、扉６の閉鎖動作時に、乗りかご３の呼び登録操作と扉６の開放操作とを区別して受け付け可能である操作部７を備える。
【００２３】
したがって、乗り場操作盤１は、扉６が開放した状態である時、あるいは、扉６の閉鎖動作時に、操作部７が利用者による呼び登録操作と開放操作とを区別して受け付けることができるので、利便性を向上することができる。
【００２４】
［実施形態２］
図２は、実施形態２に係る乗り場操作盤の概略構成図である。実施形態２に係るエレベータ乗り場操作盤は、開放操作部の構成が実施形態１とは異なる。その他、上述した実施形態と共通する構成、作用、効果については、重複した説明はできるだけ省略する（以下で説明する実施形態でも同様である。）。
【００２５】
本実施形態のエレベータ乗り場操作盤としての乗り場操作盤２０１は、図２に示すように、エレベータ２の扉６が開放した状態である時、あるいは、扉６の閉鎖動作時に、乗りかご３の呼び登録操作と扉６の開放操作とを区別して受け付け可能である操作部２０７を備える。本実施形態の操作部２０７は、呼び登録操作部８と、開放操作部２０９とを有する。
【００２６】
開放操作部２０９は、扉６が開放した状態である時、あるいは、扉６の閉鎖動作時に、利用者による扉６の開放操作を受け付け可能なものである。開放操作部２０９は、水平方向に対して呼び登録操作部８と隣接して設けられる。そして、本実施形態の開放操作部２０９は、乗りかご３の移動方向に応じた上階移動用操作部としての上方向開ボタン２１４及び下階移動用操作部としての下方向開ボタン２１５とを含んで構成される。
【００２７】
上方向開ボタン２１４は、現在の階床よりも上階へ行く際の扉６の開放操作を受け付ける。下方向開ボタン２１５は、現在の階床よりも下階へ行く際の扉６の開放操作を受け付ける。開放操作部２０９は、上方向開ボタン２１４が鉛直方向上側に、下方向開ボタン２１５が鉛直方向下側に並んで配置されている。
【００２８】
開放操作部２０９は、上方向開ボタン２１４、下方向開ボタン２１５が制御装置５に電気的に接続されている。開放操作部２０９は、開ボタン１３が制御装置５に電気的に接続されている。制御装置５は、扉６が開放した状態である時、あるいは、扉６の閉鎖動作時に、上方向開ボタン２１４又は下方向開ボタン２１５を介して開放操作された乗りかご３の移動方向と、乗りかご３が実際に移動する移動方向とが一致した場合に開放操作を受け付ける。
【００２９】
例えば、開放操作部２０９は、現在の階床よりも上階へ行く乗りかご３が乗り場４に着床している場合に、扉６が開放した状態である時、あるいは、扉６の閉鎖動作時に、利用者によって上方向開ボタン２１４が押下操作されることで、利用者による扉６の開放操作を受け付けて、制御装置５に開放操作信号を入力する。この場合、開放操作部２０９は、利用者によって下方向開ボタン２１５が押下操作された場合にはこの利用者による扉６のこの開放操作を受け付けずに開放操作を無効とする。同様に、開放操作部２０９は、現在の階床よりも下階へ行く乗りかご３が乗り場４に着床している場合に、扉６が開放した状態である時、あるいは、扉６の閉鎖動作時に、利用者によって下方向開ボタン２１５が押下操作されることで、利用者による扉６の開放操作を受け付けて、制御装置５に開放操作信号を入力する。この場合、開放操作部２０９は、利用者によって上方向開ボタン２１４が押下操作された場合にはこの利用者による扉６のこの開放操作を受け付けずに開放操作を無効とする。そして、制御装置５は、開放操作信号に応じて、扉６を開放状態とする。
【００３０】
上記のように構成される乗り場操作盤２０１は、扉６が開放した状態である時、あるいは、扉６の閉鎖動作時に、操作部２０７が利用者による呼び登録操作と開放操作とを区別して受け付けることができる。これにより、乗り場操作盤２０１は、例えば、扉６が開放した状態である時、あるいは、扉６の閉鎖動作時に、扉６の開放状態を保持したり、閉まりかけている扉６をリオープンさせたりすることができると共に、扉６が完全に閉鎖することを待つことなく必要に応じて次回の乗りかご３の呼び登録も行うことができる。
【００３１】
そして、例えば、急いでいる利用者等は、上階へ行きたい場合には上方向開ボタン２１４を操作することで閉まりかけている扉６をリオープンさせて、現在、着床している乗りかご３に乗り込むことができる。また、急いでいる利用者等は、下階へ行きたい場合には下方向開ボタン２１５を操作することで閉まりかけている扉６をリオープンさせて、現在、着床している乗りかご３に乗り込むことができる。つまりこの場合、乗り場操作盤２０１は、上方向開ボタン２１４又は下方向開ボタン２１５を介して開放操作された乗りかご３の移動方向と、乗りかご３が実際に移動する移動方向とが一致した場合に開放操作を受け付ける。
【００３２】
この結果、乗り場操作盤２０１は、現在の階床よりも上階へ行く乗りかご３が乗り場４に着床しているにもかかわらず、下階へ行きたい利用者が扉６を開放状態で保持したり再度開放したりしてしまうことを抑制することができる。同様に、乗り場操作盤２０１は、現在の階床よりも下階へ行く乗りかご３が乗り場４に着床しているにもかかわらず、上階へ行きたい利用者が扉６を開放状態で保持したり再度開放したりしてしまうことを抑制することができる。したがって、乗り場操作盤２０１は、例えば、無駄な扉６の開放を抑制することができる。
【００３３】
以上で説明した実施形態に係る乗り場操作盤２０１は、扉６が開放した状態である時、あるいは、扉６の閉鎖動作時に、操作部２０７が利用者による呼び登録操作と開放操作とを区別して受け付けることができるので、利便性を向上することができる。
【００３４】
さらに、以上で説明した実施形態に係る乗り場操作盤２０１によれば、開放操作部２０９は、乗りかご３の移動方向に応じた上方向開ボタン２１４と下方向開ボタン２１５とを含んで構成され、エレベータ２の扉６が開放した状態である時、あるいは、扉６の閉鎖動作時に、上方向開ボタン２１４及び下方向開ボタン２１５を介して開放操作された乗りかご３の移動方向と、乗りかご３が実際に移動する移動方向とが一致した場合に開放操作を受け付ける。
【００３５】
したがって、乗り場操作盤２０１は、例えば、無駄な扉６の開放を抑制することができるので、エレベータ２の運行効率を向上することができると共に乗りかご３内の利用者に不快感を与えることを抑制することができる。
【００３６】
［実施形態３］
図３は、実施形態３に係る乗り場操作盤の概略構成図、図４は、実施形態３に係る乗り場操作盤における制御の一例を説明するフローチャートである。実施形態３に係るエレベータ乗り場操作盤は、操作部の構成が実施形態１、２とは異なる。
【００３７】
本実施形態のエレベータ乗り場操作盤としての乗り場操作盤３０１は、図３に示すように、エレベータ２の扉６が開放した状態である時、あるいは、扉６の閉鎖動作時に、乗りかご３の呼び登録操作と扉６の開放操作とを区別して受け付け可能である操作部３０７を備える。本実施形態の操作部３０７は、第１操作部３０８と、第２操作部３０９とを有する。第１操作部３０８と第２操作部３０９とは、水平方向に対して互いに隣接して設けられる。ここでは、第１操作部３０８と第２操作部３０９とは、互いにほぼ同様の構成をなしている。
【００３８】
第１操作部３０８と第２操作部３０９とは、それぞれ状況に応じて一方が呼び登録操作を受け付け可能であり、他方が開放操作を受け付け可能なものである。第１操作部３０８、第２操作部３０９は、それぞれ上方向用ボタン３１１と、下方向用ボタン３１２と、登録表示ランプ３１３と、ドア開表示ランプ３１４とを含んで構成される。
【００３９】
上方向用ボタン３１１は、現在の階床よりも上階へ行くための呼び登録操作、あるいは、現在の階床よりも上階へ行く際の扉６の開放操作を受け付ける。下方向用ボタン３１２は、現在の階床よりも下階へ行くための呼び登録操作、あるいは、現在の階床よりも下階へ行く際の扉６の開放操作を受け付ける。ここでは、第１操作部３０８、第２操作部３０９は、上方向用ボタン３１１が鉛直方向上側に、下方向用ボタン３１２が鉛直方向下側に並んで配置されている。
【００４０】
登録表示ランプ３１３は、第１操作部３０８、第２操作部３０９が呼び登録操作部として利用される場合に点灯するランプである。ドア開表示ランプ３１４は、第１操作部３０８、第２操作部３０９が開放操作部として利用される場合に点灯するランプである。登録表示ランプ３１３、ドア開表示ランプ３１４は、第１操作部３０８、第２操作部３０９の上端部、下端部にそれぞれ一対ずつ設けられる。ここでは、第１操作部３０８、第２操作部３０９は、登録表示ランプ３１３が鉛直方向上側に、ドア開表示ランプ３１４が鉛直方向下側に並んで配置されている。
【００４１】
第１操作部３０８、第２操作部３０９は、上方向用ボタン３１１、下方向用ボタン３１２、登録表示ランプ３１３、ドア開表示ランプ３１４が制御装置５に電気的に接続されている。制御装置５は、第１操作部３０８と第２操作部３０９とのいずれか一方の登録表示ランプ３１３を点灯、ドア開表示ランプ３１４を消灯とし、呼び登録操作部としての機能を有効にし、開放操作部としての機能を無効とする。一方、制御装置５は、第１操作部３０８と第２操作部３０９との他方の登録表示ランプ３１３を消灯、ドア開表示ランプ３１４を点灯とし、呼び登録操作部としての機能を無効にし、開放操作部としての機能を有効とする。
【００４２】
乗り場操作盤３０１は、例えば、第１操作部３０８の登録表示ランプ３１３を点灯、ドア開表示ランプ３１４を消灯とし、呼び登録操作部としての機能を有効、開放操作部としての機能を無効とする。この場合、乗り場操作盤３０１は、第２操作部３０９の登録表示ランプ３１３を消灯、ドア開表示ランプ３１４を点灯とし、呼び登録操作部としての機能を無効、開放操作部としての機能を有効とする。
【００４３】
この場合、第１操作部３０８は、利用者によって上方向用ボタン３１１が押下操作されることで、利用者による乗りかご３の呼び登録操作を受け付けて、制御装置５にアップ呼び登録信号を入力する。同様に、呼び登録操作部８は、利用者によって下方向用ボタン３１２が押下操作されることで、利用者による乗りかご３の呼び登録操作を受け付けて、制御装置５にダウン呼び登録信号を入力する。制御装置５は、アップ呼び登録信号、ダウン呼び登録信号に応じて、上方向の乗りかご３の呼び登録、あるいは、下方向の乗りかご３の呼び登録を行う。
【００４４】
そして、第２操作部３０９は、例えば、現在の階床よりも上階へ行く乗りかご３が乗り場４に着床している場合に、扉６が開放した状態である時、あるいは、扉６の閉鎖動作時に、利用者によって上方向用ボタン３１１が押下操作されることで、利用者による扉６の開放操作を受け付けて、制御装置５に開放操作信号を入力する。この場合、第２操作部３０９は、利用者によって下方向用ボタン３１２が押下操作された場合にはこの利用者による扉６のこの開放操作を受け付けずに開放操作を無効とする。同様に、第２操作部３０９は、例えば、現在の階床よりも下階へ行く乗りかご３が乗り場４に着床している場合に、扉６が開放した状態である時、あるいは、扉６の閉鎖動作時に、利用者によって下方向用ボタン３１２が押下操作されることで、利用者による扉６の開放操作を受け付けて、制御装置５に開放操作信号を入力する。この場合、第２操作部３０９は、利用者によって上方向用ボタン３１１が押下操作された場合にはこの利用者による扉６のこの開放操作を受け付けずに開放操作を無効とする。そして、制御装置５は、開放操作信号に応じて、扉６を開放状態とする。
【００４５】
なお、制御装置５は、第１操作部３０８と第２操作部３０９との登録表示ランプ３１３、ドア開表示ランプ３１４の点灯、消灯の組み合わせを乗りかご３が乗り場４に着床し、扉６が開放されるたびに入れ替えるようにしてもよい。例えば、制御装置５は、第１操作部３０８の登録表示ランプ３１３を点灯、ドア開表示ランプ３１４を消灯、第２操作部３０９の登録表示ランプ３１３を消灯、ドア開表示ランプ３１４を点灯とした場合、次の呼び登録に応答した乗りかご３が乗り場４に着床し、扉６が開放された後には、第１操作部３０８の登録表示ランプ３１３を消灯、ドア開表示ランプ３１４を点灯、第２操作部３０９の登録表示ランプ３１３を点灯、ドア開表示ランプ３１４を消灯としてもよい。
【００４６】
これにより、乗り場操作盤３０１は、例えば、乗り場４の利用者が乗りかご３の到着時に、第１操作部３０８と第２操作部３０９とのうちの呼び登録操作部として機能していた側の上方向用ボタン３１１又は下方向用ボタン３１２を押し続けていた場合に、扉６が開くと同時に次の呼び登録がなされてしまうことを防止することができる。
【００４７】
次に、図４のフローチャートを参照して、乗り場操作盤３０１における制御の一例を説明する。なお、これらの制御ルーチンは、数百μｓないし数十ｍｓ毎の制御周期で繰り返し実行される。また、以下の説明では、便宜上、第１操作部３０８又は第２操作部３０９の一方を操作部Ａ、他方を操作部Ｂという。
【００４８】
制御装置５は、乗り場操作盤３０１、あるいは、乗りかご操作盤を介してなされた呼び登録に応答した乗りかご３が目的階の乗り場４に着床したら、扉６を開放状態とする（ＳＴ１）。
【００４９】
次に、制御装置５は、操作部Ａ側の登録表示ランプ３１３が点灯状態であり、操作部Ｂ側のドア開表示ランプ３１４が点灯状態であるか否かを判定する（ＳＴ２）。
【００５０】
制御装置５は、操作部Ａ側の登録表示ランプ３１３が点灯状態であり、操作部Ｂ側のドア開表示ランプ３１４が点灯状態であると判定した場合（ＳＴ２：Ｙｅｓ）、操作部Ｂ側の上方向用ボタン３１１又は下方向用ボタン３１２が押されたか否かを判定する（ＳＴ３）。
【００５１】
制御装置５は、操作部Ｂ側の上方向用ボタン３１１又は下方向用ボタン３１２が押されたと判定した場合（ＳＴ３：Ｙｅｓ）、操作部Ｂ側の上方向用ボタン３１１又は下方向用ボタン３１２を介して開放操作された乗りかご３の移動方向と、乗りかご３が実際に移動する移動方向とが一致した場合には扉６を開放状態で保持し、あるいは、扉６の閉鎖動作時には扉６を再度開放する（ＳＴ４）。制御装置５は、操作部Ｂ側の上方向用ボタン３１１又は下方向用ボタン３１２を介して開放操作された乗りかご３の移動方向と、乗りかご３が実際に移動する移動方向とが一致しない場合には扉６の開放操作を受け付けない。また、制御装置５は、ＳＴ３にて、操作部Ｂ側の上方向用ボタン３１１又は下方向用ボタン３１２が押されていないと判定した場合（ＳＴ３：Ｎｏ）、ＳＴ４をとばしてＳＴ５に移行する。
【００５２】
次に、制御装置５は、操作部Ａ側の上方向用ボタン３１１又は下方向用ボタン３１２が押されたか否かを判定する（ＳＴ５）。
【００５３】
制御装置５は、操作部Ａ側の上方向用ボタン３１１又は下方向用ボタン３１２が押されたと判定した場合（ＳＴ５：Ｙｅｓ）、次の呼び登録を許可し、押下操作されたボタンに応じて実際に次の呼び登録を行い、押下操作されたボタンを点灯状態とする（ＳＴ６）。制御装置５は、ＳＴ５にて、操作部Ａ側の上方向用ボタン３１１又は下方向用ボタン３１２が押されていないと判定した場合（ＳＴ５：Ｎｏ）、ＳＴ６をとばしてＳＴ７に移行する。
【００５４】
次に、制御装置５は、扉６を閉じると共にこの扉６が完全に閉鎖されたことを確認した後、乗りかご３を目的の階床に出発させると共に（ＳＴ７）、操作部Ｂ側のドア開表示ランプ３１４を消灯状態とする（ＳＴ８）。
【００５５】
そして、制御装置５は、次の呼び登録に応答した乗りかご３が目的階の乗り場４に着床した後、扉６を開放状態とする（ＳＴ９）と共に、操作部Ａ側の登録表示ランプ３１３、上方向用ボタン３１１、下方向用ボタン３１２のうちの押下操作された方のボタンを消灯状態とする（ＳＴ１０）。
【００５６】
そして、制御装置５は、操作部Ａ側のドア開表示ランプ３１４を点灯状態、操作部Ｂ側の登録表示ランプ３１３を点灯状態とし（ＳＴ１１）、今回の制御周期を終了し次の制御周期に移行する。
【００５７】
制御装置５は、ＳＴ２にて、操作部Ａ側の登録表示ランプ３１３が点灯状態でなく、操作部Ｂ側のドア開表示ランプ３１４が点灯状態でないと判定した場合（ＳＴ２：Ｎｏ）、すなわち、操作部Ａ側のドア開表示ランプ３１４が点灯状態であり、操作部Ｂ側の登録表示ランプ３１３が点灯状態であると判定した場合、操作部Ａ側の上方向用ボタン３１１又は下方向用ボタン３１２が押されたか否かを判定する（ＳＴ１０３）。
【００５８】
制御装置５は、操作部Ａ側の上方向用ボタン３１１又は下方向用ボタン３１２が押されたと判定した場合（ＳＴ１０３：Ｙｅｓ）、操作部Ａ側の上方向用ボタン３１１又は下方向用ボタン３１２を介して開放操作された乗りかご３の移動方向と、乗りかご３が実際に移動する移動方向とが一致した場合には扉６を開放状態で保持し、あるいは、扉６の閉鎖動作時には扉６を再度開放する（ＳＴ１０４）。制御装置５は、操作部Ａ側の上方向用ボタン３１１又は下方向用ボタン３１２を介して開放操作された乗りかご３の移動方向と、乗りかご３が実際に移動する移動方向とが一致しない場合には扉６の開放操作を受け付けない。また、制御装置５は、ＳＴ１０３にて、操作部Ａ側の上方向用ボタン３１１又は下方向用ボタン３１２が押されていないと判定した場合（ＳＴ１０３：Ｎｏ）、ＳＴ１０４をとばしてＳＴ５に移行する。
【００５９】
次に、制御装置５は、操作部Ｂ側の上方向用ボタン３１１又は下方向用ボタン３１２が押されたか否かを判定する（ＳＴ１０５）。
【００６０】
制御装置５は、操作部Ｂ側の上方向用ボタン３１１又は下方向用ボタン３１２が押されたと判定した場合（ＳＴ１０５：Ｙｅｓ）、次の呼び登録を許可し、押下操作されたボタンに応じて実際に次の呼び登録を行い、押下操作されたボタンを点灯状態とする（ＳＴ１０６）。制御装置５は、ＳＴ１０５にて、操作部Ｂ側の上方向用ボタン３１１又は下方向用ボタン３１２が押されていないと判定した場合（ＳＴ１０５：Ｎｏ）、ＳＴ１０６をとばしてＳＴ１０７に移行する。
【００６１】
次に、制御装置５は、扉６を閉じると共にこの扉６が完全に閉鎖されたことを確認した後、乗りかご３を目的の階床に出発させると共に（ＳＴ１０７）、操作部Ａ側のドア開表示ランプ３１４を消灯状態とする（ＳＴ１０８）。
【００６２】
そして、制御装置５は、次の呼び登録に応答した乗りかご３が目的階の乗り場４に着床した後、扉６を開放状態とする（ＳＴ１０９）と共に、操作部Ｂ側の登録表示ランプ３１３、上方向用ボタン３１１、下方向用ボタン３１２のうちの押下操作された方のボタンを消灯状態とする（ＳＴ１１０）。
【００６３】
そして、制御装置５は、操作部Ａ側の登録表示ランプ３１３を点灯状態、操作部Ｂ側のドア開表示ランプ３１４を点灯状態とし（ＳＴ１１１）、今回の制御周期を終了し次の制御周期に移行する。
【００６４】
上記のように構成される乗り場操作盤３０１は、扉６が開放した状態である時、あるいは、扉６の閉鎖動作時に、操作部３０７が利用者による呼び登録操作と開放操作とを区別して受け付けることができる。これにより、乗り場操作盤３０１は、例えば、扉６が開放した状態である時、あるいは、扉６の閉鎖動作時に、扉６の開放状態を保持したり、閉まりかけている扉６をリオープンさせたりすることができると共に、扉６が完全に閉鎖することを待つことなく必要に応じて次回の乗りかご３の呼び登録も行うことができる。なおここでは、乗り場操作盤３０１は、第１操作部３０８、第２操作部３０９において登録表示ランプ３１３又はドア開表示ランプ３１４を点灯させることで、それぞれが呼び登録操作部と開放操作部とのどちらとして機能しているのかを明確にすることができることから、利用者に対して容易に操作部の用途を判別できるようにすることができる。
【００６５】
さらに、乗り場操作盤３０１は、現在の階床よりも上階へ行く乗りかご３が乗り場４に着床しているにもかかわらず、下階へ行きたい利用者が扉６を開放状態で保持したり再度開放したりしてしまうことを抑制することができる。同様に、乗り場操作盤３０１は、現在の階床よりも下階へ行く乗りかご３が乗り場４に着床しているにもかかわらず、上階へ行きたい利用者が扉６を開放状態で保持したり再度開放したりしてしまうことを抑制することができる。したがって、乗り場操作盤３０１は、例えば、無駄な扉６の開放を抑制することができる。
【００６６】
以上で説明した実施形態に係る乗り場操作盤３０１は、扉６が開放した状態である時、あるいは、扉６の閉鎖動作時に、操作部３０７が利用者による呼び登録操作と開放操作とを区別して受け付けることができるので、利便性を向上することができる。さらに、以上で説明した実施形態に係る乗り場操作盤３０１は、例えば、無駄な扉６の開放を抑制することができるので、エレベータ２の運行効率を向上することができると共に乗りかご３内の利用者に不快感を与えることを抑制することができる。
【００６７】
［実施形態４］
図５は、実施形態４に係る乗り場操作盤の概略構成図である。実施形態４に係るエレベータ乗り場操作盤は、操作部の構成が実施形態１、２、３とは異なる。
【００６８】
本実施形態のエレベータ乗り場操作盤としての乗り場操作盤４０１は、図５に示すように、エレベータ２の扉６が開放した状態である時、あるいは、扉６の閉鎖動作時に、乗りかご３の呼び登録操作と扉６の開放操作とを区別して受け付け可能である操作部４０７を備える。本実施形態の操作部４０７は、呼び登録操作部４０８と、次発登録開始操作部としての次発登録開始ボタン４０９とを有する。
【００６９】
呼び登録操作部４０８は、利用者による乗りかご３の呼び登録操作を受け付け可能なものであり、上方向呼びボタン４１１と、下方向呼びボタン４１２とを含んで構成される。上方向呼びボタン４１１は、アップ呼び登録用のボタンであり、現在の階床よりも上階へ行くための呼び登録操作を受け付ける。下方向呼びボタン４１２は、ダウン呼び登録用のボタンであり、現在の階床よりも下階へ行くための呼び登録操作を受け付ける。ここでは、呼び登録操作部４０８は、上方向呼びボタン４１１が鉛直方向上側に、下方向呼びボタン４１２が鉛直方向下側に並んで配置されている。呼び登録操作部４０８は、上方向呼びボタン４１１、下方向呼びボタン４１２が制御装置５に電気的に接続されている。
【００７０】
次発登録開始ボタン４０９は、呼び登録操作を受け付け可能とするもの、さらに言えば呼び登録操作部４０８を介した次回の呼び登録操作を受け付け可能とするものである。ここでは、次発登録開始ボタン４０９は、鉛直方向に対して上方向呼びボタン４１１と下方向呼びボタン４１２との間に配置されている。次発登録開始ボタン４０９は、制御装置５に電気的に接続されている。なお、この次発登録開始ボタン４０９は、上方向呼びボタン４１１と下方向呼びボタン４１２との間ではなく、例えば、水平方向に対して呼び登録操作部４０８と隣接する位置に配置されていてもよい。
【００７１】
そして、制御装置５は、扉６が開放した状態である時、あるいは、扉６の閉鎖動作時に、次発登録開始ボタン４０９が操作される前に呼び登録操作部４０８が操作された場合に開放操作を受け付ける。
【００７２】
この場合、操作部４０７は、例えば、現在の階床よりも上階へ行く乗りかご３が乗り場４に着床している場合に、扉６が開放した状態である時、あるいは、扉６の閉鎖動作時に、利用者によって上方向呼びボタン４１１が押下操作されることで、利用者による扉６の開放操作を受け付けて、制御装置５に開放操作信号を入力する。この場合、操作部４０７は、利用者によって下方向呼びボタン４１２が押下操作された場合にはこの利用者による扉６のこの開放操作を受け付けずに開放操作を無効とする。同様に、操作部４０７は、例えば、現在の階床よりも下階へ行く乗りかご３が乗り場４に着床している場合に、扉６が開放した状態である時、あるいは、扉６の閉鎖動作時に、利用者によって下方向呼びボタン４１２が押下操作されることで、利用者による扉６の開放操作を受け付けて、制御装置５に開放操作信号を入力する。この場合、操作部４０７は、利用者によって上方向呼びボタン４１１が押下操作された場合にはこの利用者による扉６のこの開放操作を受け付けずに開放操作を無効とする。そして、制御装置５は、開放操作信号に応じて、扉６を開放状態とする。
【００７３】
一方、制御装置５は、扉６が開放した状態である時、あるいは、扉６の閉鎖動作時に、次発登録開始ボタン４０９が操作された後に呼び登録操作部４０８が操作された場合に呼び登録操作を受け付ける。
【００７４】
この場合、呼び登録操作部４０８は、利用者によって上方向呼びボタン４１１が押下操作されることで、利用者による乗りかご３の呼び登録操作を受け付けて、制御装置５にアップ呼び登録信号を入力する。同様に、呼び登録操作部４０８は、利用者によって下方向呼びボタン４１２が押下操作されることで、利用者による乗りかご３の呼び登録操作を受け付けて、制御装置５にダウン呼び登録信号を入力する。制御装置５は、アップ呼び登録信号、ダウン呼び登録信号に応じて、上方向の乗りかご３の呼び登録、あるいは、下方向の乗りかご３の呼び登録を行う。
【００７５】
上記のように構成される乗り場操作盤４０１は、扉６が開放した状態である時、あるいは、扉６の閉鎖動作時に、操作部４０７が利用者による呼び登録操作と開放操作とを区別して受け付けることができる。これにより、乗り場操作盤４０１は、例えば、扉６が開放した状態である時、あるいは、扉６の閉鎖動作時に、扉６の開放状態を保持したり、閉まりかけている扉６をリオープンさせたりすることができると共に、扉６が完全に閉鎖することを待つことなく必要に応じて次回の乗りかご３の呼び登録も行うことができる。なおここでは、乗り場操作盤４０１は、呼び登録操作部４０８と次発登録開始ボタン４０９とを別個に設けることで利用者に対して容易に操作部の用途を判別できるようにすることができる。
【００７６】
さらに、乗り場操作盤４０１は、現在の階床よりも上階へ行く乗りかご３が乗り場４に着床しているにもかかわらず、下階へ行きたい利用者が扉６を開放状態で保持したり再度開放したりしてしまうことを抑制することができる。同様に、乗り場操作盤４０１は、現在の階床よりも下階へ行く乗りかご３が乗り場４に着床しているにもかかわらず、上階へ行きたい利用者が扉６を開放状態で保持したり再度開放したりしてしまうことを抑制することができる。したがって、乗り場操作盤４０１は、例えば、無駄な扉６の開放を抑制することができる。
【００７７】
以上で説明した実施形態に係る乗り場操作盤４０１は、扉６が開放した状態である時、あるいは、扉６の閉鎖動作時に、操作部４０７が利用者による呼び登録操作と開放操作とを区別して受け付けることができるので、利便性を向上することができる。さらに、以上で説明した実施形態に係る乗り場操作盤４０１は、例えば、無駄な扉６の開放を抑制することができるので、エレベータ２の運行効率を向上することができると共に乗りかご３内の利用者に不快感を与えることを抑制することができる。
【００７８】
［実施形態５］
図６は、実施形態５に係る乗り場操作盤の概略構成図である。実施形態５に係るエレベータ乗り場操作盤は、操作部の構成が実施形態１、２、３、４とは異なる。
【００７９】
本実施形態のエレベータ乗り場操作盤としての乗り場操作盤５０１は、図６に示すように、エレベータ２の扉６が開放した状態である時、あるいは、扉６の閉鎖動作時に、乗りかご３の呼び登録操作と扉６の開放操作とを区別して受け付け可能である操作部５０７を備える。本実施形態の操作部５０７は、呼び登録操作部５０８を有する。
【００８０】
呼び登録操作部５０８は、利用者による乗りかご３の呼び登録操作を受け付け可能なものであり、上方向呼びボタン５１１と、下方向呼びボタン５１２とを含んで構成される。上方向呼びボタン５１１は、アップ呼び登録用のボタンであり、現在の階床よりも上階へ行くための呼び登録操作を受け付ける。下方向呼びボタン５１２は、ダウン呼び登録用のボタンであり、現在の階床よりも下階へ行くための呼び登録操作を受け付ける。ここでは、呼び登録操作部５０８は、上方向呼びボタン５１１が鉛直方向上側に、下方向呼びボタン５１２が鉛直方向下側に並んで配置されている。呼び登録操作部５０８は、上方向呼びボタン５１１、下方向呼びボタン５１２が制御装置５に電気的に接続されている。
【００８１】
そして、操作部５０７は、扉６が開放した状態である時、あるいは、扉６の閉鎖動作時に、呼び登録操作部５０８が１回操作された場合に呼び登録操作を受け付ける一方、呼び登録操作部５０８が所定期間で複数回操作された場合に開放操作を受け付ける。
【００８２】
この場合、操作部５０７は、呼び登録操作部５０８が１回操作された後、予め設定される所定期間内に２回目の操作がなされた場合に開放操作を受け付ける一方、所定期間内に２回目の操作がなされなかった場合に次回の呼び登録操作を受け付けるようにしてもよい。また、操作部５０７は、呼び登録操作部５０８が１回操作された場合に呼び登録操作を受け付けて、予め設定される所定期間内に２回目の操作がなされた場合に上記呼び登録操作を無効にして開放操作を受け付ける一方、所定期間内に２回目の操作がなされなかった場合にそのまま次回の呼び登録操作として受け付けるようにしてもよい。
【００８３】
この場合、操作部５０７は、例えば、現在の階床よりも上階へ行く乗りかご３が乗り場４に着床している場合に、扉６が開放した状態である時、あるいは、扉６の閉鎖動作時に、利用者によって上方向呼びボタン５１１が所定期間内に複数回押下操作されることで、利用者による扉６の開放操作を受け付けて、制御装置５に開放操作信号を入力する。この場合、操作部５０７は、利用者によって下方向呼びボタン５１２が押下操作された場合にはこの利用者による扉６のこの開放操作を受け付けずに開放操作を無効とする。同様に、操作部５０７は、例えば、現在の階床よりも下階へ行く乗りかご３が乗り場４に着床している場合に、扉６が開放した状態である時、あるいは、扉６の閉鎖動作時に、利用者によって下方向呼びボタン５１２が所定期間内に複数回押下操作されることで、利用者による扉６の開放操作を受け付けて、制御装置５に開放操作信号を入力する。この場合、操作部５０７は、利用者によって上方向呼びボタン５１１が押下操作された場合にはこの利用者による扉６のこの開放操作を受け付けずに開放操作を無効とする。そして、制御装置５は、開放操作信号に応じて、扉６を開放状態とする。
【００８４】
一方、操作部５０７は、利用者によって上方向呼びボタン５１１が１回押下操作されることで、利用者による乗りかご３の呼び登録操作を受け付けて、制御装置５にアップ呼び登録信号を入力する。同様に、呼び登録操作部５０８は、利用者によって下方向呼びボタン５１２が１回押下操作されることで、利用者による乗りかご３の呼び登録操作を受け付けて、制御装置５にダウン呼び登録信号を入力する。制御装置５は、アップ呼び登録信号、ダウン呼び登録信号に応じて、上方向の乗りかご３の呼び登録、あるいは、下方向の乗りかご３の呼び登録を行う。
【００８５】
上記のように構成される乗り場操作盤５０１は、扉６が開放した状態である時、あるいは、扉６の閉鎖動作時に、操作部５０７が利用者による呼び登録操作と開放操作とを区別して受け付けることができる。これにより、乗り場操作盤５０１は、例えば、扉６が開放した状態である時、あるいは、扉６の閉鎖動作時に、扉６の開放状態を保持したり、閉まりかけている扉６をリオープンさせたりすることができると共に、扉６が完全に閉鎖することを待つことなく必要に応じて次回の乗りかご３の呼び登録も行うことができる。なおここでは、乗り場操作盤５０１は、押しボタンの個数等を増やすことなく呼び登録操作と開放操作とを区別して受け付けることができる構成を実現することができるので、例えば、製造コスト等を抑制することができる。
【００８６】
さらに、乗り場操作盤５０１は、現在の階床よりも上階へ行く乗りかご３が乗り場４に着床しているにもかかわらず、下階へ行きたい利用者が扉６を開放状態で保持したり再度開放したりしてしまうことを抑制することができる。同様に、乗り場操作盤５０１は、現在の階床よりも下階へ行く乗りかご３が乗り場４に着床しているにもかかわらず、上階へ行きたい利用者が扉６を開放状態で保持したり再度開放したりしてしまうことを抑制することができる。したがって、乗り場操作盤５０１は、例えば、無駄な扉６の開放を抑制することができる。
【００８７】
以上で説明した実施形態に係る乗り場操作盤５０１は、扉６が開放した状態である時、あるいは、扉６の閉鎖動作時に、操作部５０７が利用者による呼び登録操作と開放操作とを区別して受け付けることができるので、利便性を向上することができる。さらに、以上で説明した実施形態に係る乗り場操作盤５０１は、例えば、無駄な扉６の開放を抑制することができるので、エレベータ２の運行効率を向上することができると共に乗りかご３内の利用者に不快感を与えることを抑制することができる。
【００８８】
なお、上述した実施形態に係るエレベータ乗り場操作盤は、上述した実施形態に限定されず、特許請求の範囲に記載された範囲で種々の変更が可能である。本実施形態に係るエレベータ乗り場操作盤は、以上で説明した各実施形態の構成要素を適宜組み合わせることで構成してもよい。
【００８９】
以上で説明した実施形態、変形例に係るエレベータ乗り場操作盤によれば、利便性を向上することができる。
【００９０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００９１】
１、２０１、３０１、４０１、５０１    乗り場場操作盤（エレベータ乗り場操作盤）
２    エレベータ
３    乗りかご
４    乗り場
５    制御装置
６    扉
７、２０７、３０７、４０７、５０７    操作部
８、４０８、５０８    呼び登録操作部
９、２０９    開放操作部
１１、４１１、５１１    上方向呼びボタン
１２、４１２、５１２    下方向呼びボタン
１３    開ボタン
２１４    上方向開ボタン（上階移動用操作部）
２１５    下方向開ボタン（下階移動用操作部）
３０８、３０９    第１操作部
３１１    上方向用ボタン
３１２    下方向用ボタン
３１３    登録表示ランプ
３１４    ドア開表示ランプ
４０９    次発登録開始ボタン（次発登録開始操作部）
【図１】
2013060252.tif 000003
【図２】
2013060252.tif 000004
【図３】
2013060252.tif 000005
【図４】
2013060252.tif 000006
【図５】
2013060252.tif 000007
【図６】
2013060252.tif 000008